(57)【要約】      （修正有）【課題】野球をしている者なら誰でもが投げられる直球投法一本で、直球と各種変化球を自在に投げられるようにする打撃練習用投球ボールを提供する。【解決手段】本考案はゴムボールの球体の表面部の一端に片仮名のルの字形状大形凹面部を形成して、投球によって生じる相対風の通路を設けてボールに揚力を生出し、直球投法一本で自在に変化球を投球できるものにしている。【選択図】図１
0003121290.tif 000002
【実用新案登録請求の範囲】
【請求項１】
ゴムボールの球体の表面部の一端に片仮名のルの字形状大形凹面部を形成して、投球によって生じる相対風の通路を設けたことを特徴とする打撃練習用投球ボール。
【請求項２】
前記ゴムボールの球体の表面部の所所に小突起を形成してこれを球種によって替るボールの握り方における指の位置を誘導する刻印としたことを特徴とする請求項１に記載の打撃練習用投球ボール。
【考案の詳細な説明】
【技術分野】
【０００１】  本考案は、ゴムボールの球体の表面皮の一端に片仮名のルの字形状大形凹面部を形成して相対風の通路を設け、直球投法一本でカーブ、スライダー、シュート、シンカーなどの変化球を自在に投げられるようにした打撃練習用投球ボールに関する。
【背景技術】
【０００２】  軟式野球ボール及び硬式野球ボール共ひさご形状表面皮を接着させたり、縫い合せたりして作った球体のボールであり、この球体のボールで投手が種々の変化球を投じる場合は、ボールを投げる瞬間に手首を右や左に捻ったり、指の間からボールを抜いたり、指の間の手の平から押し出すように投げたりして、ボール本体を右回りや左回りに回転させたり、下から上への回転を導いたりしてカーブやスライダー、シュート、フォークボール、シンカーなどを投じている。【０００３】  ボールの軌跡が変化しない直球は野球をしている者なら誰でも投げられるが、手首の捻りや、ボールの抜き投げ、押し投げから生れる変化球は、ボールの握り方から始まって投球時における肘の使い方もそれぞれで異なる難しさも加わるので、投手としての練習を十分に積んでいないと簡単には投げられない。【０００４】  投手不足と投手の肩への労りから、バッティング練習では変化球打ちは少なく、直球を打つバッティング練習が主流になっている。
【考案の開示】
【考案が解決しようとする課題】
【０００５】  直球と各種変化球がバッテリー間を通過する時間差は大きく、直球を１とすると各種変化球は１．１０から１．２５も掛るので、直球を叩くのと同じタイミングでバットを振り下ろしたのでは、変化球はまだボールがベース上近くには到達しておらずバットは空振りをしてしまう。変化球を打つ時は直球より一呼吸バットの振り出しを遅らせれば良いのだというのが指導であるが、変化球もそれぞれで早さと曲がり方向も異なるので、一呼吸遅らせるバットの振り出しも思うに任せず、ボールの予測が外れると打ち損じる光景が目立っている。【０００６】  本考案は、かかる従来の問題点に鑑みてなされたもので、野球をしている者なら誰でも投げられる直球で、直球と各種変化球が自在に投げられるボールを提供することにより、バッティング練習で変化球打ちの練習を誰もが思い切り出来るようにすることである。
【課題を解決するための手段】
【０００７】  上記課題を解決するために、本考案の打撃練習用投球ボールは、ゴムボールの球体の表面部の一端に片仮名のルの字形状大形凹面部を形成して、投球によって生じる相対風の通路を設けたことであり、また前記ゴムボールの球体の表面部の所所に小突起を形成してこれを球種によって替るボールの握り方における指の位置を誘導する刻印としたことで構成される。
【考案の効果】
【０００８】  本考案による効果は、次の如くである。ボール本体の球面の一角に設けた片仮名のルの字形状大形凹面部に投球によって発生した相対風が通過すると片仮名のルの字形状大形凹面部の反対側に位置する球面上を早く通過する相対風との間で気圧差が生れ、気圧が高い片仮名のルの字形状大形凹面部側の相対風が凹面部の尻尾を過ぎると気圧が低い裏の球面側に流れ込んで、裏の球面側に揚力の発生が始まる。ボールの進行で、裏の球面側の揚力が高まって行くと、やがて球面側は曲がり始めて、曲り続けて行く。【０００９】  片仮名のルの字形状大形凹面部が位置する反対側がボールの曲り方向になるので、オーバースローの右投手が片仮名のルの字形状大形凹面部をボールの右端に置いて握ってボールを投げるとボールはベースの左側に曲って行くカーブになる。このカーブは右バッターが見た場合で、左バッターだとこれはシュートになる。【００１０】  片仮名のルの字形状大形凹面部をボールの左端に置いて握ってボールを投げるとボールはベースの右側に曲って行くシュートになるが、これは右バッターが見た場合で、左バッターだとカーブになる。【００１１】  片仮名のルの字形状大形凹面部をボールの真上に置いて握り投げると、ボールの下部に揚力が働くので、ベースの手前５．６メートル附近で下降が始まり、そして落下してくるシンカーになる。【００１２】  フォークボールは、片仮名のルの字形状大形凹面部をボールの真上から少し後方にずらして握って投げると生れるが、これは相対風を受ける片仮名のルの字形状大形凹面部の面積が後方にずれて小さくなるため下部の球面上に働く揚力が弱く、スピードが少し低下すると落下するものになっている。【００１３】  片仮名のルの字形状大形凹面部をボールの右上側傾斜あるいは右下側傾斜で握って投げると、右上側傾斜で投じた場合は片仮名のルの字形状大形凹面部の下側の凹面部の裏側の球面下部に揚力が発生するためボールは左に曲りながら下降する落ちるカーブになる。右下側傾斜で投げると揚力の発生が片仮名のルの字形状大形凹面部の上側凹面部の裏の球面上に出るので、ボールは左に曲りながら下降せず左横に曲るスライダーになる。これは右バッターから見たボールであり、左バッターになると落ちるシュートと横に流れるシュートになる。【００１４】  片仮名のルの字形状大形凹面部をボールの左上側傾斜あるいは左下側傾斜で握って投げると、左上側傾斜で投じた時はボールはベースの右側に向かって曲りながら下降する落ちるシュートになる。左下側傾斜で投げるとベースの右側に落ちずに曲る流れるシュートになる。これは右バッターから見たボールであり、左バッターになると落ちるカーブと外に流れるカーブになる。【００１５】  また、直球は、片仮名のルの字形状大形凹面部をボールの直後に置いて握って投げる。片仮名のルの字形状大形凹面部がボールの直後に来ると、相対風の通路がボールの後に隠れるので、ボールに揚力が発生せず、ボールは曲らずに飛んで行く。【００１６】  なお、従来のゴムボールはボールを捻って変化球を生み出すが、本願のゴムボールはボールを捻っては駄目である。ボールを捻ると相対風の通過を一定の角度で迎える片仮名のルの字形状大形凹面部が転位して乱気流が起り揚力が生まれなくなるからである。相対風の通過を一定の角度で迎えて揚力を生み出すのは飛行機の翼が生み出す揚力の原理であるのに対比、従来のボールは飛行機のプロペラが生み出す揚力の原理であり、ボールの表面部に僅かに盛り上がる帯状凸部又は縫い目がプロペラの捻りの湾曲の役割を果して、ボールの定期的な回転と縫い目の方向で揚力を生み出して各種変化球を生み出している。本願のゴムボールは捻って回転させると棒球になってしまうので、全ての変化球で直球投法が求められる。【００１７】  直球投法には、オーバースローあり、サイドスローあり、アンダースローありで、様様な投げ方があるので、本願に於けるゴムボールの各自の投球時におけるボールの握り方は投法によって異なってくるが、前記片仮名のルの字形状大形凹面部をボールの右端か、左端か、上部に置くかを念頭においてボールの握れば良いので、握り方には特定の型は置かない。
【考案を実施するための最良の形態】
【００１８】  ボールの球体の表面部はゴム材か皮革で作るが、表面部の張り付けは接着剤で行い、縫い合わせは行わない。縫い合わせをすると縫い合わせによる盛り上がりが、相対風の流れを乱すからである。ボールの球体の表面部の所所に設ける小突起は、小突起自体が短かく丈も低いので、いかなる変化球を投げても相対風の流れは乱れない。ゴムボールの球体の表面部の一角に設ける片仮名のルの字形状大形凹面部は球体の約５分の１の面積を使用して形成するが、凹面部の底部分は左右共中心線から外側に向かっての位置はなだらかに傾斜する。片仮名のルの字形状大形凹面部は片仮名のルの字形状の上部が頭で、下部は尻であるが、尻から出る斜め横はねの尾は方向舵になっている。
【実施例】
【００１９】  以下、添付図面に従って一実施例を説明する。図１において符号１はゴムボール本体、２はゴムボール本体１の球体の表面部の一端に設けた片仮名のルの字形状大形凹面部を示す。この片仮名のルの字形状大形凹面部２は、ゴムボール本体１の球体の表面部の約５分の１の面積を使用して形成するもので、また、片仮名のルの字形状大形凹面部２の凹面部分の底面は左右共中心線から外側に向かっての位置はなだらかに傾斜するものになっている。【００２０】  図２において符号３はゴムボール本体１の球体の表面部に設けた小突起を示す。この小突起３は、球体の表面部の所所に形成してこれを球種によって替るボールの握り方における指の位置を誘導する刻印とする。前記小突起３の刻印は、球種選びによる握り方の指の指定地を示すものではなく、前記片仮名のルの字形状大形凹面部２の位置を手探りで探し当てたあとに球種によって替る各自のボールの握り方を誘導する指標とするもので、誘導指標という観点から球体の表面部の所所に形成するのみで、多くの数は形成しない。【００２１】  図３における符号４はゴムボール本体１を包むひさご形状のゴムボールの表面部である。このひさご形状のゴムボールの表面部４は、表面部は滑らかなもので形成しており、また、ゴムボール本体１の内球皮５への張り付けは接着剤で行い、縫い合わせはしない。【００２２】  図４における符号５はゴムボール本体１の内球皮である。このゴムボール本体１の内球皮５は、前記片仮名のルの字形状大形凹面部２を上部に迎える位置の場所は内球皮の一部を削いで緩やかな弓形面になっている。【００２３】  なお、球体をゴムボールではなく硬式野球用ボールで作る時は、前記片仮名のルの字形状大形凹面部２はゴム材料で成型してこれを接着して形成するものとする。
【産業上の利用可能性】
【００２４】  本考案の一実施例は上述の如き構成からなるものであるから、野球をしている者なら誰でもが直球と各種変化球を直ぐに投げられるようになるから、バッティング練習をするバッターは、ふんだんな投手に向かって、直球と多彩な変化球をミックスした投球を求めて、これを存分に打つバッティング練習を続けて行ける。今はまだ蚊帳の中にある、直球のあとの変化球を身体の反射運動で捕えて打つバッティング術を発見する者も出てくる期待が持てるようになるから、野球人にとっては魅力のある打撃練習用投球ボールになる。
【図面の簡単な説明】
【００２５】
【図１】本考案の実施の形態にかかる正面図である。
【図２】本考案の実施の形態にかかる右側面図である。
【図３】本考案の実施の形態にかかる背面図である。
【図４】本考案の実施の形態にかかる右側面断面図である。
【図５】本考案の実施の形態にかかる平面図である。
【図６】本考案の実施の形態にかかる斜視図である。
【図７】オーバースローの右投手によるシュートボールの握り方例。
【符号の説明】
【００２６】１  ゴムボール本体
２  片仮名のルの字形状大形凹面部
３  ボール本体の表面部に設けた小突起
４  ひさご形状のゴムボール本体の表面部
５  ゴムボール本体の内球皮
【図１】
0003121290.tif 000003
【図２】
0003121290.tif 000004
【図３】
0003121290.tif 000005
【図４】
0003121290.tif 000006
【図５】
0003121290.tif 000007
【図６】
0003121290.tif 000008
【図７】
0003121290.tif 000009